(57)【特許請求の範囲】
【請求項１】
インターネットに接続された不特定多数の人がリモコンコードを登録、公開できるリモコンコードサーバを有し、そのサーバにアクセスしたユーザが登録するリモコンのリモコンコードと機種名および機能名を入力する入力手段と、入力されたリモコンコードと機種名および機能名を対応付けて蓄積する蓄積手段と、不特定多数の人によってリモコンコードサーバに登録された同じ機能を機能ごとにカウントし、その回数を基準に機能一覧表示する表示手段を有することを特徴とするリモコンコードサーバシステム。
【発明の詳細な説明】
【技術分野】
【０００１】
本発明は、電化製品等の機器を遠隔操作するためのリモートコントロール（以下、「リモコン」という。）コードをリモコンコードサーバからダウンロードすることが可能なリモコンコードサーバシステムにおいて、不特定多数の人がリモコンコードを登録してサーバ上のデータベースを更新する方法に関する。
【背景技術】
【０００２】
インターネット上のリモコンコードサーバにアクセスし、テレビやＤＶＤレコーダー、エアコンなどの機器を指定するだけで、その機器を操作できるリモコンコードがダウンロードされ、自動的にリモコン側に登録できる学習リモコンがある（例えば特許文献１参照。）。
【０００３】
これは、従来の学習リモコンのように、操作対象機器のリモコンと学習リモコンとを向かい合わせ、キーを一つ一つ登録させる必要がなく、非常に手軽に利用できる。
【特許文献１】特表２００５−５１５６７４号公報
【発明の開示】
【発明が解決しようとする課題】
【０００４】
しかしながら上記の従来の構成では、リモコンコードサーバを運営するのは機器メーカであるため、リモコンコードサーバを運営していないメーカの機器については、リモコンコードをダウンロードできず、たとえ運営されていたとしても操作したい機種、機能が登録されていなければダウンロードできない等操作できる機器、機能が制限されるという問題点を有していた。
【０００５】
本発明は上記従来の問題点を解決するもので、アクセスできる不特定多数の人が機器メーカ、機種に依らずリモコンコードを登録することができるので、膨大な数のデータベースを構築することが可能なリモコンコードサーバを提供することを目的とする。
【課題を解決するための手段】
【０００６】
この目的を達成するために本発明のリモコンコードサーバは、リモコンコードサーバシステムであって、インターネットに接続された不特定多数の人がリモコンコードを登録できるリモコンコードサーバを有し、そのサーバにアクセスしたユーザがリモコンコード、機種名、機能名を入力する入力手段と、入力されたリモコンコード、機種名、機能名を対応付けて蓄積する蓄積手段を有することを特徴とする。これにより、膨大な数のデータベースの構築が可能になり、操作できる機器、機能の制限を減らせる。
【０００７】
また、リモコン信号を受信する手段と受信された信号をリモコンコードにデコードする手段を有することを特徴とする。これにより、システムへの登録は、リモコンコードを直接入力することを必要とせず、登録したいリモートコントローラのキーを押すという簡単な操作ででき、手入力による誤入力も防げる。
【０００８】
また、リモコンコードに含まれる情報に基づき、機種名ごとに自動分類して登録する手段を有することを特徴とする。これにより、システムへの登録に機器名の入力を必要とせず、ユーザが機種名を意識することなくでき、手入力による誤入力も防げる。
【０００９】
また、目的の機能を呼び出すのに必要な複数のコマンドを連続して登録する手段を有することを特徴とする。これにより、前記機能のリモコンコードを学習リモコンに学習させることで、目的の操作を1ボタンで呼び出すことができる。
【００１０】
また、登録される機能のキーワードを抽出する手段を有し、機種ごとにキーワードに基づいて機能を自動分類して登録する手段を有することを特徴とする。これにより、リモコンコードサーバにアクセスしたユーザがある機能をダウンロードする際に、分類された機能を手がかりに容易に探すことができる。
【００１１】
また、リモコンのキーに対応する識別子を入力する手段と、入力された識別子とリモコンコードを対応付けてリモコンコードサーバに登録、公開する手段を有し、リモコンコードの入力を対応付けられた識別子を使って新たに機能を登録できる手段を有することを特徴とする。これにより、リモコンコードサーバにアクセスしたユーザが機能を登録する際、登録する機種のリモコンのキーが他のユーザによって既に登録されていれば、リモコンコードを直接入力することを必要とせず、手入力による誤入力を防げる。
【００１２】
また、一つの決まったシーケンスを登録するだけでなく、シーケンス中に複数のリモコンコードを割り当てることができることを特徴とする。これにより、ＤＶＤレコーダーへの録画予約などの時間情報、チャンネル情報を必要とする機能を登録することができる。
【００１３】
また、不特定多数の人によってリモコンコードサーバに登録された同じ機能を機能ごとにカウントし、その回数を基準に機能一覧表示することを特徴とする。これにより、その機種の使用頻度が高い機能をユーザに提示することができるので、多くの機能の中からユーザがダウンロードしたい機能を見つける目安になる。
【００１４】
また、操作したい機器の別の機能が既にダウンロードされたリモコンを使って、リモコンコードを送出し、そのコードを元に自動的に機種を判別し、その機種に関する機能を一覧表示させることを特徴とする。これにより、ダウンロードの際に機器名の入力を必要とせず、ユーザが機種名を意識することなくできる。
【００１５】
また、機能の詳細設定を可能とし、それに応じたリモコンコードのシーケンスをダウンロードできることを特徴とする。これにより、ＤＶＤレコーダーへの録画予約などの時間情報、チャンネル情報を必要とする機能をダウンロードすることができる。
【発明の効果】
【００１６】
以上のように本発明は、リモコンコードサーバにアクセスできる不特定多数の人が機器メーカ、機種に依らずリモコンコードを登録することができるので、膨大な数のデータベースを構築することが可能になるという優れた効果が得られる。
【発明を実施するための最良の形態】
【００１７】
（実施の形態１）
以下、本発明の実施の形態１について、図面を参照しながら説明する。図１は本発明の実施の形態１におけるリモコンコードサーバシステムの概略構成図であり、同図において本発明のリモコンコードサーバシステムは、リモコンコードを蓄積するリモコンコードサーバ１００と、リモコンコードサーバ１００と不特定多数のユーザのパソコン１０２を連結するインターネット網１０１と、インターネット網１０１を介してリモコンコードサーバ１００との相互通信や、リモコンコードサーバ１００に蓄積されているリモコンコードに対応する機器メーカ名、機種名、機能名の表示や、ユーザがリモコンコードを登録する際の機種名の入力やダウンロードする際の機種、機能の選択に用いるパソコン１０２と、ダウンロードされたリモコンコードを赤外線などのリモコン信号に変換するエンコード部１０３と、変換されたリモコン信号を学習リモコンや操作したい機器に発信するリモコン信号送信部１０４と、リモコンコードを登録する際にリモコン信号を受信するリモコン信号受信部１０５と、受信されたリモコン信号をリモコンコードに戻すデコード部１０６と、
リモコン１０７で構成される。
【００１８】
なお、パソコン１０２の代わりに、テレビのような電化機器にインターネットに接続する手段とリモコンコードサーバに蓄積されているリモコンコードの機器メーカ名、機種名、機能名を表示する手段と、ユーザがリモコンコードを登録する際の機種名の入力やダウンロードする際の機種、機能の選択をする入力手段を持たせて実現させてもよい。
【００１９】
次に、本発明の特徴部分であるリモコンコードサーバへのリモコンコードの登録について具体的に説明する。
【００２０】
図２は、リモコンコードサーバへアクセスした場合にパソコン画面に表示されるメニュー画面２００である。まず、「１．機種登録状況確認」２０１を選択する。この機種登録状況確認では、ユーザが登録するリモコンの機器の登録状況、つまり、既に登録されているか否かを確認する。「１．機種登録状況確認」２０１を選択した後、リモコンをリモコン信号受信部１０５に向け、いずれかのボタンを押す。すると、デコード部１０６が入力されたリモコン信号をリモコンコードに変換し、パソコン１０２がインターネット網１０１を介してリモコンコードサーバ１００に送出する。リモコンコードサーバ１００では、送られてきたリモコンコードに含まれる機器の情報に関するコードを直ちに解析し、蓄積されているリモコンコードを検索する。その結果をパソコン１０２に送り、パソコン画面に表示させる。
【００２１】
機器が未登録だった場合、「２．機器名登録」２０２を選択する。この機器名登録では、未登録の機器の情報（種別、メーカ名、型番）を登録し、登録されるリモコン１０７の機器の情報を意味するコードと紐付けし、リモコンコードサーバ１００に登録する。
【００２２】
機器が登録済みだった場合、「３．単独機能登録」２０３または「４．シーケンス機能登録」２０４を選択する。単独機能登録では、１つのボタンを押すだけで実現できる機能を登録する。一方、シーケンス機能登録では、複数のボタンを押して実現できる機能を登録する。
【００２３】
「３．単独機能登録」２０３を選択した場合、パソコン１０２はリモコン信号受付状態になる。ユーザは、リモコン信号受信部１０５に対し、登録したい機能に対応するボタンを押する。直ちに、デコード部１０６でリモコンコードに変換され、リモコンコードサーバ１００に送出される。リモコンコードサーバ１００がリモコンコードを受け取ると、リモコンコードサーバ１００内に既に同じ機能が登録されていないか検索する。未登録だった場合、機能名受付状態になり、ユーザに対し、機能名を入力させる。機能名が入力されると、リモコンコードと機能名を紐付けし、リモコンコードサーバ１００内に蓄積される。
【００２４】
「４．シーケンス機能登録」２０４を選択した場合、一連のリモコン操作を行なった後、送信ボタンを押する。直ちに、デコード部１０６でリモコンコードのシーケンスに変換され、リモコンコードサーバ１００に送出される。リモコンコードサーバ１００がリモコンコードのシーケンスを受け取ると、リモコンコードサーバ１００内に既に同じリモコンコードシーケンスが登録されていないか検索する。未登録だった場合、機能名受付状態になり、ユーザに対し、機能名を入力させる。機能名が入力されると、リモコンコードと機能名が紐付けされリモコンコードサーバ１００内に蓄積される。
【００２５】
次に、本発明のもう一つの特徴部分であるリモコンコードサーバ１００からのダウンロードについて具体的に説明する。まず、メニュー画面から「５．ダウンロード」２０５を選択する。その後、機種名を特定できるリモコンコードが既にダウンロードされたリモコン１０７をリモコン信号受信部１０５に向け、ボタンを押す。すると、デコード部１０６でリモコンコードに戻され、リモコンコードサーバ１００に送出される。送られてきたコードを基にリモコンコードサーバ１００内のデータを検索し、機種を特定する。
【００２６】
図３は本発明の実施の形態１におけるリモコンコードサーバシステムのパソコン画面に表示されるダウンロード画面３００を示す図である。機種が特定されると、現在までにその機種３０１（「○○製テレビ」）に関して登録されている機能が一覧表示される。ユーザはその中からダウンロードしたい機能３０２（「番組Ｂを視聴予約したい。」）を選択し、最後にダウンロードボタン３０３をクリックすれば、リモコンコードサーバ１００からパソコン１０２にダウンロードされ、ダウンロードされたリモコンコードがエンコード部１０３でリモコン信号に変換され、リモコン信号送信部１０４が送信する。
【産業上の利用可能性】
【００２７】
本発明のリモコンコードサーバシステムは、リモコンコードサーバにアクセスできる不特定多数の人が機器メーカ、機種に依らずリモコンコードを登録することができるので、膨大な数のデータベースを構築することができるリモコンコードサーバシステムとして有用である。
【図面の簡単な説明】
【００２８】
【図１】本発明の実施の形態１におけるリモコンコードサーバシステムの構成を示すブロック図
【図２】本発明の実施の形態１におけるリモコンコードサーバシステムのパソコン画面に表示されるメニュー画面を示す図
【図３】本発明の実施の形態１におけるリモコンコードサーバシステムのパソコン画面に表示されるダウンロード画面を示す図
【符号の説明】
【００２９】
１００    リモコンコードサーバ
１０１    インターネット網
１０２    パソコン
１０３    エンコード部
１０４    リモコン信号送信部
１０５    リモコン信号受信部
１０６    デコード部
１０７    リモコン
【図１】
0004821423.tif 000002
【図２】
0004821423.tif 000003
【図３】
0004821423.tif 000004